(57)【要約】【課題】  ２つの平坦面が交差する設置対象の隅部に設置されるガスコンセント装置を提供する。【解決手段】  ２つの壁面Ｗａが交差する壁Ｗの隅部Ｃに設置されるガスコンセント装置１は、ガス栓３と取付板２を備える。この取付板２が、ガス栓３を保持する保持板部２１と、保持板部２１の両側部に保持板部２１と一体をなして連なるとともに、保持板部２１に対してガス栓３側に折り曲げられ、壁Ｗの２つの壁面Ｗａにそれぞれ固定される２つの固定板部２２と、を有する。【選択図】  図３
2018040440.tif 000002
【特許請求の範囲】
【請求項１】
２つの平坦面が交差する設置対象の隅部に設置されるガスコンセント装置であって、
ガス栓と取付板を備え、この取付板が、
前記ガス栓を保持する保持板部と、
前記保持板部の両側部に前記保持板部と一体をなして連なるとともに、前記保持板部に対して上記ガス栓側に折り曲げられ、前記設置対象の２つの平坦面にそれぞれ固定される２つの固定板部と、
を有することを特徴とするガスコンセント装置。
【請求項２】
２つの平坦面が交差する設置対象の隅部に設置されるガスコンセント装置であって、
ガス栓と取付板を備え、この取付板が、
前記ガス栓を保持する保持板部と、
前記保持板部の両側部にヒンジを介して連結され、前記設置対象の２つの平坦面にそれぞれ固定される２つの固定板部と、
を有することを特徴とするガスコンセント装置。
【発明の詳細な説明】
【技術分野】
【０００１】
本発明は、ガス栓を壁等の設置対象に取り付けるためのガスコンセント装置に関する。
【背景技術】
【０００２】
建物の完成後に室内に増設されるガスコンセント装置は、壁等の設置対象に設置される。
下記特許文献１に記載のガスコンセント装置は、ガス栓と、矩形の平板形状をなしてガス栓を保持する取付板と、この取付板にガス栓を覆うようにして固定されたケースを有している。取付板が平坦な壁面に固定されることにより、ガスコンセント装置が壁に設置される。
【先行技術文献】
【特許文献】
【０００３】
【特許文献１】特開２００７−２４２８４号公報
【発明の概要】
【発明が解決しようとする課題】
【０００４】
特許文献１のガスコンセント装置は平坦な壁面等にしか設置できず、設置可能な箇所が限定されていた。
本発明者は、設置可能な箇所を増やすために、２つの壁面が交差する壁の隅部の空間を利用することを発案した。
【課題を解決するための手段】
【０００５】
上記課題を解決するために、本発明の一態様では、２つの平坦面が交差する設置対象の隅部に設置されるガスコンセント装置であって、ガス栓と取付板を備え、この取付板が、前記ガス栓を保持する保持板部と、前記保持板部の両側部に前記保持板部と一体をなして連なるとともに、前記保持板部に対して上記ガス栓側に折り曲げられ、前記設置対象の２つの平坦面にそれぞれ固定される２つの固定板部と、を有することを特徴とする。
上記構成によれば、壁の隅部等、２つの平坦面が交差する設置対象の隅部にガスコンセント装置を安定して設置することができる。
【０００６】
本発明の他の態様では、２つの平坦面が交差する設置対象の隅部に設置されるガスコンセント装置であって、ガス栓と取付板を備え、この取付板が、前記ガス栓を保持する保持板部と、前記保持板部の両側部にヒンジを介して連結され、前記設置対象の２つの平坦面にそれぞれ固定される２つの固定板部と、を有することを特徴とする。
上記構成によれば、壁の隅部等、２つの平坦面が交差する設置対象の隅部にガスコンセント装置を安定して設置することができる。また、交差する２つの平坦面のなす角度がさまざまに異なる場合であっても、ヒンジによる角度調節機能を利用して、確実に装着することができる。
【発明の効果】
【０００７】
本発明によれば、従来有効に利用されていなかった空間である、２つの平坦面が交差する設置対象の隅部に、ガスコンセント装置を設置することができる。
【図面の簡単な説明】
【０００８】
【図１】本発明の第１実施形態に係るガスコンセント装置の取付板を正面側から見た斜視図である。
【図２】上記ガスコンセント装置を、ケースを省いた状態で示す斜視図である。
【図３】上記ガスコンセント装置を、ケースを省くとともに壁の隅部に設置した状態で示す平面図である。
【図４】上記ガスコンセント装置の斜視図である。
【図５】上記ガスコンセント装置のケースの背面図である。
【図６】図５のVI矢視図である。
【図７】本発明の第２実施形態に係るガスコンセント装置の取付板を正面側から見た斜視図である。
【図８】同第２実施形態のガスコンセント装置を、ケースを省いた状態で示す斜視図である。
【図９】同第２実施形態のガスコンセント装置を、ケースを省くとともに壁の隅部に設置した状態で示す平面図である。
【発明を実施するための形態】
【０００９】
［第１実施形態］
以下、本発明の第１実施形態をなすガスコンセント装置を、図１〜図６を参照して説明する。このガスコンセント装置は、建物の完成後に増設されるものであり、特に図３に示すような壁Ｗ（設置対象）の隅部Ｃに設置するためのものである。壁Ｗは、９０度をなして交差する２つの平坦な壁面Ｗａ（平坦面）を有している。
図４に示すように、ガスコンセント装置１は、取付板２、ガス栓３、及びケース４を備えている。
【００１０】
図１に示すように、取付板２は金属製の板材からなり、保持板部２１と、この保持板部２１の左右の側縁に一体をなして連なる一対の固定板部２２とを有している。
保持板部２１は正面視矩形をなし、その左右両側部には、後述するガス栓３の保持に用いられるネジ穴２１ａが形成されている。保持板部２１の上縁及び下縁には、保持板部２１と直交する切起こし片２４，２５，２６，２７が設けられている。上縁の１つの切起こし片２５には係合穴２５ａが形成され下縁の１つの切起こし片２６にはネジ穴２６ａが形成されており、これら係合穴２５ａ，ネジ穴２６ａは、後述するケース４の取り付けに用いられる。
【００１１】
一対の固定板部２２は、長方形の平板形状を有し、保持板部２１に対して後述するガス栓３側に折り曲げられている。図３に示すように、固定板部２２と保持板２１のなす角度は４５度であり、一対の固定板部２２同士のなす角度は９０度であり、上記２つの壁面Ｗａの交差角度と等しい。各固定板部２２には、壁Ｗａへの固定に用いられる挿通孔２２ａが上下に２つ形成されている。
【００１２】
図３に示すように、上記取付板２は、一対の固定板部２２を２つの壁面Ｗａに当て、固定板部２２の挿通孔２２ａを貫通する木ネジ６を壁面Ｗａにねじ込むことにより、壁Ｗに固定される。この状態で、取付板２の保持板部２１は２つの壁面Ｗａ間に架け渡されている。
【００１３】
図２に示すように、ガス栓３は、直線状をなして連なる胴部３１とプラグ部３２を有している。プラグ部３２を下向きにした状態で、胴部３１が固定金具５により取付板２の保持板部２１に保持される。詳述すると、固定金具５は帯状をなし、円弧部５１とこの円弧部５１に連なる一対の固定部５２とを有している。この円弧部５１を、胴部３１の長手方向中央部に形成された若干小径の円筒部の外周に当て、一対の固定部５２を保持板部２１に当てた状態で、固定部５２に形成された挿通孔（図示せず）を通るネジ７を、保持板部２１のネジ穴２１ａにネジ込むことにより、ガス栓３が保持板部２１に保持される。
【００１４】
なお、本実施形態では取付板２を壁Ｗに固定した後でガス栓３を取付板２に取り付けるが、ガス栓３が木ネジ６のねじ込み作業の支障とならない態様の場合には、順序を逆にしてもよい。
【００１５】
ガス栓３を保持して壁Ｗに取り付けられた取付板２には、図４に示すように、ケース４が取り付けられる。図４、図５に示すように、ケース４は正面視または背面視でＴ字形をなしており、ガス栓３の胴部３１の大部分を覆う略半円弧形状の周壁４１と、周壁４１の中央部から下方に延びガス栓３のプラグ部３２の正面を覆う垂下壁４２と、周壁４１の上縁に連なる頂壁４３と、周壁４１の下縁に連なり垂下壁４２の両側に配置された底壁４５を有している。
【００１６】
さらにケース４は図４、図６に示すように、周壁４１の両側から突出する一対の補助遮蔽部４６を有している。補助遮蔽部４６は、上記取付板２の固定板部２２を覆うためのもので、周壁４１に連なる延長壁４６ａと頂壁４４に面一に連なる延長壁４６ｂと底壁４５と面一に連なる延長壁４６ｃとを有している。補助遮蔽部４６の背面側の縁４６ｘは、後述の取付板２への取り付け状態において、保持板部２１に対して４５度傾斜しており、壁面Ｗａに当たるようになっている。
【００１７】
ケース４の取り付けは、その頂壁４３及び底壁４５の縁部をそれぞれ取付板２の切起こし片２４，２５及び２６，２７に嵌め、図５に示す頂壁４３に形成された凸部４３ａを、切り起こし片２５の係合穴２５ａに嵌め、図６に示す底壁４５に形成された穴４５ａにネジを貫通させ、このネジを切起こし片２６のネジ穴２６ａにねじ込むことによりなされる。ケース４が取付板２に取り付けられて、ガスコンセント装置１の組立および壁Ｗへの装着が完了する。
【００１８】
上記構成の取付板２によれば、ガス栓３を壁Ｗに取り付ける場合に、２つの壁面Ｗａを取付板２が跨ぐ形で壁Ｗの隅部Ｃにガス栓３を配置することができる。すなわち、従来の取付板では有効に利用されていなかった壁Ｗの隅部Ｃにガス栓３を取り付けることができる。壁Ｗの隅部Ｃは部屋の奥まった箇所であるため、取り付けられたガス栓３は邪魔にならない。
【００１９】
次に、本発明の他の実施形態について説明する。なお、以下の実施形態については、上記実施形態と異なる構成だけを説明することとし、同様な構成部分には同一符号を付してその説明を省略する。
【００２０】
［第２実施形態］
図７〜図９は、本発明の第２実施形態を示す。この実施形態においては、保持板部２１に対する固定板部２８の角度を変更できるようになっている。
【００２１】
保持板部２１には、逆Ｔ字状のガス栓保持部２１ｂが保持板部２１の主部２１ｃより前方（図７において手前側）に張り出している。ガス栓保持部２１ｂの水平部分には、ガス栓３保持用の固定金具５をネジ止めするためのネジ穴２１ａ，２１ａが形成されている。ガス栓保持部２１ｂの垂直部に、ガス栓３の胴部３１が当たるようになっている。
【００２２】
保持板部２１の両側縁の上部及び下部にそれぞれ固定板部２８が設けられている。各固定板部２８には、壁面Ｗａへ固定するための木ネジ６用の挿通孔２８ａが形成されている。
各固定板部２８は、保持板部２１にヒンジＨを介して回動可能に連結されている。ヒンジＨは、保持板部２１の側部に設けられた軸受部２１ｅと、各固定板部２８の側部に設けられた軸受部２８ｂと、回転軸Ｓを有している。
【００２３】
上記構成の取付板２によれば、２つの壁面Ｗａのなす角が９０度以外の場合であっても、固定板部２８の角度を変えることができるので、壁Ｗの隅部Ｃにガス栓３を取り付けることができる。
なお、第１実施形態と同じケース４が本実施形態の取付板２に取り付けられる。
【００２４】
本実施形態の取付板２を用いれば、壁Ｗの１つの壁面にガスコンセント装置を設置することもできる。この場合、保持板部２１の主部２１ｃに形成された挿通孔２１ｄに木ネジを貫通させて壁面にねじ込む。固定板部２８は、保持板部２１の主部２１ｃに折りたたむ。ガス栓３は主部２１ｃから隆起したガス栓保持部２１ｂに保持されるので、固定板部２８が邪魔にならない。
【００２５】
なお、本発明は、上記実施形態に限定されるものではなく、その要旨を逸脱しない範囲において各種の変形例を採用することができる。
上記実施形態では、取付板を２つの壁面が交差する隅部に取り付けているが、壁面と床面が交差する隅部に取り付けてもよい。
上記第１実施形態では、２つの固定板部のなす角度を９０度としたが、この角度に限られず、９０度未満でもよく、９０度より大きくてもよい。
上記第２実施形態では、固定板部を保持板部の両側部に２つずつ設けているが、１つでもよく３つ以上でもよい。
【産業上の利用可能性】
【００２６】
本発明は、壁等の設置対象に設置されるガスコンセント装置に適用することができる。
【符号の説明】
【００２７】
２    取付板
２１  保持板部
２２，２８  固定板部
３    ガス栓
Ｗ    壁（設置対象）
Ｗａ  壁面（平坦面）
Ｃ    隅部
Ｈ    ヒンジ
【図１】
2018040440.tif 000003
【図２】
2018040440.tif 000004
【図３】
2018040440.tif 000005
【図４】
2018040440.tif 000006
【図５】
2018040440.tif 000007
【図６】
2018040440.tif 000008
【図７】
2018040440.tif 000009
【図８】
2018040440.tif 000010
【図９】
2018040440.tif 000011